(57)【要約】【課題】湯沸かし器において蒸気の噴出作用により吹鳴させるものであって吹鳴音を複数の異なる設定音程から選択できるようにした湯沸かし器の吹鳴音可変構造を得る。【解決手段】回転可能のホイッスル本体の中心点より同一の半径円周上に等角度間隔に配設した３つの空洞と、空洞の末端に略半分が開放された蒸気排出用開口と残りの略半分を閉鎖した底壁と、空洞を二分する発音体のリードと、ホイッスル本体の先端面に接する切換板と、切換板においてホイッスル本体の３つの空洞の底壁のうち２つの底壁に対向する開口孔と、ホイッスル本体の所定位置に突成された位置決め用嵌合子と、切換板においてホイッスル本体の両方向の回転制限位置で嵌合子が嵌入する２つの嵌合承部とからなる。【選択図】図１
0003121748.tif 000002
【実用新案登録請求の範囲】
【請求項１】
金属製又はプラスッチク製の回転可能のホイッスル本体１と、
前記ホイッスル本体１の中心点より同一の半径円周上に等角度間隔に配設した３つの空洞３と、
前記空洞３の末端に略半分が開放された蒸気排出用開口４と残りの略半分を閉鎖した底壁５と、
前記底壁５の内面に接して前記空洞３を二分するハーモニカの発音体に類するリード２と、
前記ホイッスル本体１の先端面に接する方向に弾撥されている切換板６と、
前記切換板６において前記ホイッスル本体１の３つの空洞の底壁５のうち２つの底壁５に対向する開口孔７と、
前記ホイッスル本体１の所定位置に突成された位置決め用嵌合子１２と、
前記切換板６において前記ホイッスル本体１の両方向の回転制限位置で前記ホイッスル本体１の嵌合子１２が嵌入する２つの嵌合承部１３と
からなる吹鳴音発生体Aを湯沸かし器の注口に対して接離自在にスナップ動するように取り付けたことを特徴とする湯沸かし器の吹鳴音可変構造。
【請求項２】
前記ホイッスル本体１の先端面において、前記３つの開口４の間を結ぶ周面に段設した凹面１４と、前記凹面１４と同床で外側方向に開放したドレイン排出用溝１５とが設けられている請求項１記載の湯沸かし器の吹鳴音可変構造。
【請求項３】
前記切換板６の所定部位には、湯沸かし器の注口に対して前記吹鳴音発生体Aを枢着するためのステー１６と、前記吹鳴音発生体Aを湯沸かし器の注口に対して接離するための手操作用レバー１８とが設けられている請求項１又は２記載の湯沸かし器の吹鳴音可変構造。
【請求項４】
前記手操作用レバー１８は、少なくともそのレバー先端部１９が断熱性能を有する請求項１乃至３のいずれかに記載の湯沸かし器の吹鳴音可変構造。
【考案の詳細な説明】
【技術分野】
【０００１】
本考案は、湯沸かし器において沸騰した蒸気の噴出作用により吹鳴させるものであって、特に、使用者の音調の好み、聴覚に合わせて聞き取りやすい周波数の音程、使用時の周囲の状況に合う音の高低などの吹鳴音を複数の異なる設定音程から選択できるようにした湯沸かし器の吹鳴音可変構造に関するものである。
【背景技術】
【０００２】
従来、この種の湯沸かし器の吹鳴手段としては、本願出願人の出願に係る実公昭４８−３７１４７号（実用新案登録第１０４３７４４号）公報に掲載された構造が知られているが、この例は構造の簡易性、製作並びに組立の容易性、商品の信頼性、高い耐久性などを目的として提案されたものであり、現在でも引き続き生産販売されて好評を博している寿命の長い優秀な製品である。
【０００３】
しかしながら、その吹鳴装置（笛）は、その構造が小型で単純な構造であるために製作に要するコストが低く経済性に優れている反面、その発生吹鳴音は単一の原音であるために発生音の聴覚に対する刺激が強い外、単調で面白味に欠けていると共に深みのある重低音や使用者によって異なる好みの音に対応できない難点があった。
【０００４】
また、その吹鳴音の聴取できる音の弁別可能な周波数が人の聴覚能力によって高音域や低音域に偏倚する場合があり、単一の音ではその可聴域に対応させることが困難である。
【０００５】
更に、湯沸かしの場所の周辺の静寂さによって吹鳴音が喧しかったり、反対に、聞き取り難かったり、或いは、寝ている幼児や病人等がいる場合には、それに対応して吹鳴音の音調を可変する必要があった。
【特許文献１】実公昭４８−３７１４７号（実用新案登録第１０４３７４４号）公報
【考案の開示】
【考案が解決しようとする課題】
【０００６】
本考案の目的とするところは、湯沸かし器において沸騰した蒸気の噴出作用により吹鳴させる吹鳴装置に係るものであって、特に、使用者の音調の好み、聴覚に合わせて聞き取りやすい周波数の音程、使用時の周囲の状況に合う音の高低などの吹鳴音を複数の異なる設定音程から選択できるようにする外、二つ以上の混合音からなる周波数帯域の広い重低音を吹鳴させることができるようにした湯沸かし器の吹鳴音可変構造を得ようとするものである。
【課題を解決するための手段】
【０００７】
本考案は以上の如き観点に鑑みてなされたものであって、その主たる構成は、金属製又はプラスッチク製の回転可能のホイッスル本体と、前記ホイッスル本体の中心点より同一の半径円周上に等角度間隔に配設した３つの空洞と、前記空洞の末端に略半分が開放された蒸気排出用開口と残りの略半分を閉鎖した底壁と、前記底壁の内面に接して前記空洞を二分するハーモニカの発音体に類するリードと、前記ホイッスル本体の先端面に接する切換板と、前記切換板において前記ホイッスル本体の３つの空洞の底壁のうち２つの底壁に対向する開口孔と、前記ホイッスル本体の所定位置に突成された位置決め用嵌合子と、前記切換板において前記ホイッスル本体の両方向の回転制限位置で前記ホイッスル本体の嵌合子が嵌入する２つの嵌合承部とからなる吹鳴音発生体を湯沸かし器の注口に対して接離自在にスナップ動する湯沸かし器の吹鳴音可変構造を提供しようとするものである。
【０００８】
更に、前記ホイッスル本体の先端面において、前記３つの開口の間を結ぶ周面に段設した凹面と、前記凹面と同床で外側方向に開放したドレイン排出用溝とが設けられている湯沸かし器の吹鳴音可変構造を提供しようとするものである。
【０００９】
更に又、前記切換板の所定部位には、湯沸かし器の注口に対して枢着するためのステーと、前記吹鳴音発生体を湯沸かし器の注口に対して接離するための手操作用レバーとが設けられている湯沸かし器の吹鳴音可変構造を提供しようとするものである。
【００１０】
そして又、前記手操作用レバーは、少なくともその先端部が断熱性能を有する湯沸かし器の吹鳴音可変構造を提供しようとするものである。
【考案の効果】
【００１１】
本考案の湯沸かし器の吹鳴音可変構造は以下のような効果を有する。
ホイッスル本体に設けられた３つの空洞にそれぞれ１つずつ格納されるリードの発生音を互いに異なる所定の音程にすることによって、その空洞に噴入した蒸気がその末端に開放された蒸気排出用開口から外部に排出する過程でそれらのリードを通過する。このように、蒸気の噴入した空洞に設置されたリードを蒸気が通過する過程で、そのリードの設定された音程で吹鳴する。
【００１２】
従って、前記組み合わせの和音はそれぞれの固有の周波数を有する音程の加算であるから、使用者の音調の好み、聴覚に合わせて聞き取りやすい周波数の音程、使用時の周囲の状況に合う音の高低などの吹鳴音を、二組の異なる設定音程の周波数からなる和音で選択することができ、又、この吹鳴音は二つの音程からなるから、周波数帯域の広い重低音を得ることができる。
【考案を実施するための最良の形態】
【００１３】
以下、本考案の具体的な一実施例を図面を参照しながら詳細に説明する。
耐熱性を有する金属製又はプラスッチク製のホイッスル本体１を設ける。該ホイッスル本体１は、リード楽器のハーモニカに配設されている発音体に類するリード（簧）２の長さより若干長く、その表面をなだらかな閉曲面とした三角柱状を呈し、その三方に蒸気孔（空気孔）となる空洞３が中心点より同一の半径円周上に等角度間隔で配設されている。該空洞３の末端は略半分が開放された蒸気排出用開口４が設けられ、残りの略半分が底壁５で閉じられている。そして、該空洞３の内部にはその底壁５の内面に接して該空洞３を二分する前記リード２が配列されている。
【００１４】
前記ホイッスル本体１の先端面にはその先端面に接する切換板６が設けられている。該切換板６には、前記ホイッスル本体１の３つの空洞の底壁５のうち、２つの底壁５に対向する開口孔７が穿設されている。そして、該切換板６は前記ホイッスル本体１の中心部に対して摺動自在に埋設したブッシュ８に対して螺着したスクリュウ９で回転自在に軸支されている。
【００１５】
この場合、前記切換板６の２つの開口孔７が前記ホイッスル本体１の３つの開口４ａ、４ｂ、４ｃのうち、左側寄りの２つの開口４ａ、４ｂに対して位置合わされたときは残りの右端の開口４ｃは前記ホイッスル本体１により閉塞され、また、右側寄りの２つの開口４ｂ、４ｃに対して位置合わされたときは残りの左端の開口４aは前記ホイッスル本体１によって閉塞されるようになっている。即ち、前記切換板６の回転可動範囲は前記ホイッスル本体１の３つの開口４ａ、４ｂ、４ｃが互いに隣接する角度間隔に制限されている。
【００１６】
前記切換板６は、該板６とコーン形座金１０との間に介在されたスプリング１１で前記スクリュウ８の締着押圧力によって前記ホイッスル本体１の先端面方向に常時弾撥されている。
【００１７】
前記ホイッスル本体１には、その所定位置に位置決め用嵌合子１２が突成され、他方、前記切換板６には、前記ホイッスル本体１の両方向の回転制限位置で前記ホイッスル本体１の嵌合子１２が嵌入する２つの嵌合承部１３が凹設されている。
【００１８】
更に、前記ホイッスル本体１の先端面には、前記開口４ａ、４ｂ、４ｃの間を結ぶ周面に凹面１４が設けられ、該凹面１４と同床のドレイン排出用溝１５が外側方向に開放されている。
【００１９】
前記切換板６の所定部位には湯沸かし器の注口（図示されていない）に対して枢着するためのステー１６が接合部１７を介して一体に外方へ張出形成されていると共に、該接合部１７に前記吹鳴音発生体Aを湯沸かし器の注口に対して接離するための手操作用レバー１８が操作しやすい形状で一体的に固着され、そして、該レバー１８には、少なくとも、その先端部に所要の断熱性能を有する感触良好なレバー先端部１９が設けられている。
［作用］
【００２０】
前記ホイッスル本体１に設けられた３つの空洞３にそれぞれ１つずつ格納されるリードは、その空洞３に噴入した蒸気がその末端に開放された蒸気排出用開口４から外部に排出する過程で吹鳴する
【００２１】
従って、前記リード２のそれぞれの発生音を互いに異なる所定の音程にすれば、その空洞３に噴入した蒸気によって各リード２は設定された音程で吹鳴する。
【００２２】
前記切換板６の先端面に接して回転するホイッスル本体１を左方向の回転制限位置まで回転すると、前記切換板６の２つの開口孔７は、前記ホイッスル本体１の左翼Ａと真ん中Ｂの２つの空洞３の底壁５で仕切られている空間に位置合わされて連通する。
【００２３】
この状態においては、湯沸かし器の注口から噴出する蒸気は、該切換板６の２つの並列する開口孔７を介して前記ホイッスル本体１の左翼Ａと中央Ｂの２つの空洞３に進入し、そこに格納された２つのリード２を一斉に吹鳴する。即ち、前記ホイッスル本体１の左翼Ａと中央Ｂの各リード２の音程で構成する和音を発生することになる。
【００２４】
反対に、前記ホイッスル本体１の先端面に接して回転する切換板６を右方向の回転制限位置まで回転すると、前記切換板６の２つの開口孔７は、前記ホイッスル本体１の右翼Ｃと真ん中Ｂの２つの空洞３の底壁５で仕切られている空間に位置合わされて連通する。
【００２５】
この状態においては、湯沸かし器の注口から噴出する蒸気は該切換板６の２つの並列する開口孔７を介して前記ホイッスル本体１の右翼Ｃと真ん中Ｂの２つの空洞３に進入し、そこに格納された２つのリード２を一斉に吹鳴する。即ち、前記ホイッスル本体１の右翼Ｃと真ん中Ｂの各リード２の音程で構成する和音を発生することになる。
【００２６】
このように、前記切換板６を左方向又は右方向の各回転制限位置まで回転することにより、左翼Ａと真ん中Ｂ、右翼Ｃと真ん中Ｂのそれぞれのリードの音程の組み合わせによる異なった和音に設定することができる。
【００２７】
前記ホイッスル本体１は前記切換板６に対して圧接しているが、該ホイッスル本体１が左方向又は右方向に回転移動するときは、該ホイッスル本体１の位置決め用嵌合子１２はそれが嵌入している切換板６の嵌合承部１３から弾撥力に抗して脱却し、該切換板６の表面を摺動し、そうして他方の嵌合承部１３に達したところで弾撥力により自動的に嵌入して位置決めされる。
【００２８】
前記吹鳴動作中の蒸気は、前記ホイッスル本体１の内部を通って外部に排出する過程で露結するが、その露滴した水分は前記ホイッスル本体１の先端面に設けられた凹面１４からドレイン排出用溝１５を経て外部に流出するようにしてあり、それによって吹鳴動作が支障無く行われるようにしてある。
【００２９】
前記による吹鳴音を停止させたり、当該湯沸かし器から湯を注ぐときには、前記吹鳴音発生体Ａを断熱性能を有するレバー先端部１９を手指で下方に押すことにより回転させて引き上げれば、その引き上げた状態を維持して注口を開放する。
【図面の簡単な説明】
【００３０】
【図１】本考案一実施例の構造の分解した状態を示す上方から見た斜視図である。
【図２】本考案一実施例の構造の分解した状態を示す下方から見た斜視図であるが、リード（簧）は省かれている。
【図３】本考案一実施例の構造を示す側面図である。
【図４】本考案一実施例の構造を示す平面図である。
【図５】本考案一実施例の構造を示す底面図である。
【図６】図５のＡ−Ａ線断面図である。
【図７】本考案一実施例のホイッスル本体の先端面を示す平面図である。
【符号の説明】
【００３１】
１  ホイッスル本体
２  リード（簧）
３  空洞
４  蒸気排出用開口
５  底壁
６  切換板
７  開口孔
８  ブッシュ
９  スクリュウ
１０  座金
１１  スプリング
１２  位置決め用嵌合子
１３  嵌合承部
１４  凹面
１５  ドレイン排出用溝
１６  ステー
１７  接合部
１８  手操作用レバー
１９  レバー先端部
Ａ  吹鳴音発生体
【図１】
0003121748.tif 000003
【図２】
0003121748.tif 000004
【図３】
0003121748.tif 000005
【図４】
0003121748.tif 000006
【図５】
0003121748.tif 000007
【図６】
0003121748.tif 000008
【図７】
0003121748.tif 000009